(57)【特許請求の範囲】
【請求項１】
ゴルフボールの上方に置かれた半円筒、或いは半円形の切り抜き部を持つ平板と、パッティングの目標ラインに沿って左右に延出する平板の組合せで構成されたことを特徴とするパッティング練習補助器具
【請求項２】
ゴルフボールの直径とほぼ等しいか、又は直径よりも小さい内径を持つ半円筒と、半円筒の長手方向の開口部の左右２辺から、それぞれ直径を延長した方向に延出する平板と、半円筒の外周の中間線から前記平板と直角の方向に延出する平板を有することを特徴とするパッティング練習補助器具
【請求項３】
上面と下向き側面が直角に接合された３面の直角樋で、上面の端部にゴルフボールの直径とほぼ等しいか、又は直径よりも小さい内径を持つ半円形の切り抜き部を有し、更に同端部から直角樋の２側面と直角に左右方向に延出する平板を有することを特徴としたパッティング練習補助器具
【発明の詳細な説明】
【技術分野】
【０００１】
本発明は、ゴルフにおけるパッティングを練習する際の補助器具に関するものである。
【背景技術】
【０００２】
ゴルフのパッティングにおいて、プレーヤーが（１）利き目をボールの真上に置き（２）両眼を結んだ線が目標ラインと平行になるように頭を固定し（３）パターヘッドのフェース（打面）が目標ライン（打ち出し方向）に直角になるようにパターを構え（４）パターを目標ライン（打ち出し方向）に沿って、ほぼ直線的に後方から前方にストロークすることで、パッティングの精度を高めることが出来ると言われている。更に、ボールの転がり距離のコントロールの為に（５）パターの振り幅を距離に応じて精度よくコントロールすることが必要とされている。
【０００３】
上記のような５項目の要素に対し、数多くの練習器具が提案され、また開発されているが、いずれも5項目のなかの１項目か2項目程度を対象とした部分的な練習補助器具となっており5項目すべてを総合的に網羅する練習補助器具はほとんど開発されていないと思われる。
【０００４】
更に公知の練習器具の多くは複数の部品を組み立てるなど、設置／調整に時間が掛かり、また外観も大きなものも多く、室内の練習とゴルフ場の練習グリーンの両方で兼用出来るものは数少ないと思われる。
【先行技術文献】
【特許文献】
【０００５】
【特許文献１】特開  H０４−３０９３７８
【特許文献２】特開  H１０−２４８９８４
【特許文献３】特開  ２００１−５４６０６
【特許文献４】特開  ２００９−０２８４８３
【特許文献５】特開  ２０１１−１５９２４
【特許文献６】特開  ２０１４−１４６３６
【特許文献７】特開  ２０１４−２３３６１８
【特許文献８】米国特開  ２０１３／０２８８８２８
【非特許文献】
【０００６】
【非特許文献１】実用新案  第３１０５２６７号
【発明の概要】
【発明が解決しようとする課題】
【０００７】
パッティングの精度向上に必要な５項目全ての練習に供することが出来、ゴルフのキャディーバッグに収納可能な小型軽量で、室内のパッティング練習若しくはゴルフ場の練習グリーンの上いずれでも簡便に取り扱えるパッティング練習補助器具を提供する。
【０００８】
実際のプレーと出来るだけ近似の状態で練習が出来るよう本番で使うゴルフパターを使用出来るものとし、ゴルフパターにいかなる器具の装着、また改造を必要とせず、更に練習ストローク中にゴルフパターに外的な力を加えないパッティング練習補助器具を提供する。
【課題を解決するための手段】
【０００９】
上記目的を達成するため、横断面がゴルフボールの直径と同じか、わずかに小さい内径を持つ半円筒（円筒を直径部分で長手方向に２分割した形状のもの）に、その開口部の左右両側の縁部に外側に向かって直径線上に延出する長方形の目標ライン平板を取り付け、また半円筒の外周の中間線から外側に向け目標ライン平板と直角に延出する長方形の支持平板を取り付けた精度確認部と、精度確認部をゴルフボールの上方１５０ｍｍ〜２５０ｍｍに水平固定する為の専用台座或いは代用台座に取り付ける為の装着部とでパッティング練習補助器具（A型）を構成した。
【００１０】
上記目的を達成する他の手段として、下向きの“コの字”の断面を持ち上面及び両側の側面２枚からなる直角樋に  直角樋の上面端部にゴルフボールの直径と同じかわずかに小さい直径を持つ半円形の切り抜きを入れたもの、及び  同じ端部に上面の上方からみて逆T字型となるように直角、且つ垂直に接着された長方形の目標ライン平板を取り付けた精度確認部と、精度確認部をゴルフボールの上方１５０ｍｍ〜２５０ｍｍに水平保持する為の専用台座或いは代用台座に取り付ける為の接着部とでパッティング練習補助器具（B型）を構成した。
【００１１】
パッティング練習補助器具（A型）及び（B型）の半円形部分から左右両側に延出する長方形の目標ライン平板の上辺に、中心点からの距離を示す小さなV字型切り込みを左右対称に設けた。  また、下辺部分には長手方向に帯状にカラ―（色）マークを施した。
【００１２】
パッティング練習補助器具（B型）の直角樋の上面に、練習中に留意すべき項目を掲示するスペースを設けた。
【発明の効果】
【００１３】
室内床面或いは練習グリーン上に設置したパッティング練習補助器具（A型）の上方から利き目で逆T字型に見える目標ライン平板及び支持平板の上辺を観察し、全ての辺が1本の線状に見える（云いかえれば、平板の厚みが示す線のみが見え、側面が視野に入った面状に見えることがない）ようにすることで利き目を半円形の真上に位置させることが極めて容易で、最適なアドレスを身体に覚え込ます反復練習することが可能になる。両平板の下辺の帯状のカラ―（色）マークにより、面状に見えていないことの確認が容易である。パッティング練習補助器具（B型）の場合は、直角樋の上面の両側の角が作る２辺を含む逆T字型の各辺が線状に見えることを確認することで、同様の効果を実現出来る。
【００１４】
更に実物のゴルフボールを半円筒（A型）或いは切り抜き部（B型）の下に置き、ゴルフボールの外半分（プレーヤーから見て反対側）の外周が半円形にきっちりと納まるように利き目の位置を微調整することで、最適なパッティングアドレスを身体に感覚として習得させることが容易になる。本発明品の特徴からゴルフボールの手前半分は、器具に邪魔されることなく完全に視野に露出し、プレーヤーにとって視覚的に実戦におけるゴルフボールの見え方そのものであることから、あたかも練習用の器具が存在していないかの如き意識となり本番のプレーで最適なアドレスを再現することが極めて容易になる。
【００１５】
アドレスをして利き目がゴルフボールの真上にあることを確認した後、利き目を閉じもう一方の目でゴルフボールを見た時に、ゴルフボールが半円筒（A型）或いは切り抜き部（B型）の左右方向にずれることを確認することにより、両眼を結んだ線が目標ライン（打ち出し方向）と同じ方向に平行になっていることが容易に確認出来るようになる。  ゴルフボールが左右方向でなく斜め上下方向のいずれかに移動して見える場合は、両眼を結んだ線が目標ライン（打ち出し方向）と平行になっていないことを示しており、顔面（若しくは頭）の向きを正しく修正する必要があることを容易に認識出来る。
【００１６】
半円筒（A型）或いは切り抜き部（B型）の左右両側に延出する目標ライン平板の上辺は、ゴルフボールの打ち出し方向の指標線となる。従い、プレーヤーはパターヘッド上面の中央部に付けられた中央表示マーク（多くは線状のマーク）を目標ライン平板の上辺（方向指標線）に重なり合わせることによりパターヘッドのフェースを目標ライン（打ち出し方向）に直角に置くことを容易に習得出来るようになる。  
【００１７】
次に半円筒外周の中間点から延出する支持平板（A型）或いは直角樋の上面の角辺（B型）は、目標ライン平板と直角（９０°）になっていることから、パターフェースの打面が支持平板（A型）の上辺或いは直角樋（B型）の上面の角辺（右利きの場合は、右側角辺となる。）と重なっている、若しくは平行となっているか否かを視覚的に確認することにより、パターフェースを目標ライン（打ち出し方向）に対して直角に構える練習が極めて容易となる。
【００１８】
プレーヤーがパッティングストロークをする際に、パターヘッドの中央表示マークを目標ライン平板の上辺（方向指標線）からずれないようにパターを動かす練習を反復することにより、パターヘッドを目標ライン（打ち出し方向）に沿って動かすことが容易に習得出来るようになる。言い換えれば、パターヘッドの上方に目標ライン平板の上辺（方向指標線）が見えることから、パターヘッドの動きに伴う目標ライン（打ち出し方向）からの乖離の有無、また乖離の大きさを容易に認識することが出来、ストロークの安定性の向上に役に立つ。
【００１９】
目標ライン平板は、左右同じ長さとなっており、且つ目標ライン平板の上辺部に設けられた距離表示のV字型切り込みにより、パターヘッドの左右の動きの大きさを容易に精度よく判断出来るようになる。プレーヤー個々の好みによるが、例えばバックスウイング（右利きの場合は、右手方向への動き）とフォロースル―（同、ボールを打った後の左手方向への動き）は、同じ大きさとすることが推奨されているが、V字型切り込みの存在でパターヘッドの左右の振れの大きさを視覚的に容易に確認することが出来るようになり、振り幅のコントロールの練習効果が高まる。
【００２０】
目標ライン平板の下にパターヘッドを置きパッティングストロークを反復練習する副次的効果として、バックスウイング及びフォロースル―中に、パターヘッドを目標ライン平板に接触させないようストロークさせるという意識が高まり、結果としてパターヘッドの上下動を抑制し水平に移動させる（真横に引き、そして打ち出し方向に押し出す）傾向が高まり、パッティングの安定性が改善される。
【００２１】
ゴルフのパッティングの練習にあたっては、課題（若しくは注意すべき項目）を明確にして反復練習することが極めて重要である。  然しながら、練習では、パッティングを何度も繰り返すうちに、優先すべき課題を見失う、或いは  失念してしまう傾向がある。然しながら、練習補助器具（B型）の場合  直角樋の上面のスペースに課題のメモを掲示すれば、常に課題を意識しながら練習することが可能となる。
【００２２】
練習補助器具（A型）及び（B型）とも、構成部品が少なく取り扱いが極めて簡便で、ゴルフのキャディーバッグのポケットなどに入れて容易に持ち運べる。また、設置は、極めて短時間で可能であり、外観も大袈裟なものでないため、ゴルフ場の練習グリーンでも他人の視線を気にすることなく練習することが出来る。
【００２３】
台座部分については、然程高いもの製作精度を必要とされない為、専用の台座でなくとも、ペットボトルなどを代用品として使うことが出来、接着部材として、両面テープ、面ファスナー  或は  磁石を利用したものなどが考えられ、安価に製作することが出来る。
【図面の簡単な説明】
【００２４】
【図１】練習補助器具（A型）の上面図
【図２】練習補助器具（A型）の正面図
【図３】練習補助器具（A型）の右側面図
【図４】練習補助器具（B型）の上面図
【図５】練習補助器具（B型）の正面図
【図６】練習補助器具（B型）の右側面図
【図７】練習補助器具（A型）の斜視図
【図８】練習補助器具（B型）の斜視図
【図９】練習補助器具（A型）の（代用）台座への装着状態とゴルフボールの位置関係
【図１０】練習補助器具（A型）のゴルフボールとパターヘッドの位置関係
【発明を実施するための形態】
【００２５】
以下、本発明の実施の形態について説明する。
（イ）パッティング練習補助器具（A型）（A-１０）については、横断面が半円形で内径が３５ｍｍ〜４２ｍｍ、長さが３０mm〜５０ｍｍ、肉厚が０．５mm〜２mmの半円筒（A-１１）の開口部の左右両側の縁部それぞれから左右外側に向かって直径の延長線上に、１枚が長さ１５０mm〜２００ｍｍ、幅３０ｍｍ〜５０ｍｍ、肉厚０．５ｍｍ〜２ｍｍの目標ライン平板（A-１２）を取り付けた。更に、半円筒の外周の中間線から外側に向かって半径の延長線上に長さ１５０ｍｍ〜２５０ｍｍ、幅３０ｍｍ〜５０ｍｍ、肉厚０．５ｍｍ〜２ｍｍの支持平板（A-１３）を取り付けた。支持平板の他端の下辺に台座装着用金具（A-１４）及び円盤型磁石（A-１５）を取り付けた。半円筒部分と平板部分は、一体成型してもよいし、別々に製作した後に組み立てても良い。素材は、出来るだけ軽いものが好ましくアルミなどの金属、プラスチック（透明或いは色付きのどちらでもよい）若しくは厚紙でもよい。
（ロ）パッティング練習補助器具（B型）（B-１０）については、下面が開口し、上面が長さ１５０ｍｍ〜２５０ｍｍ、幅３０ｍｍ〜４５ｍｍ、両側の側面が、長さ１５０ｍｍ〜２５０ｍｍ、幅３０ｍｍ〜５０ｍｍ、それぞれの肉厚が０．５ｍｍ〜２ｍｍの計３面を有する“コの字”型中空胴の直角樋（B-１３）に、その一方の端部に直径３５ｍｍ〜４２ｍｍの半円形の切り抜き部（B-１１）を入れ、更に直角に交わる長さ３００ｍｍ〜４００ｍｍ、幅３５ｍｍ〜４５ｍｍ、肉厚０．５ｍｍ〜２ｍｍの目標ライン平板（B-１２）を取り付けた。もう一方の端部近くで直角樋の上面の裏側に台座装着用の円盤型磁石（B-１５）を取り付けた。素材は出来るだけ軽いものが好ましく、アルミなどの金属、プラスチック（透明若しくは色付きのどちらでもよい）若しくは厚紙でもよい。
（ハ）B型における直角樋（B-１３）とそれぞれの目標ライン平板（B-１２）は、一体成型でもよいし別々に製作した上で組み立ててもよい。厚紙の場合は、山折/谷折線、のりしろなどを組み合わせて裁断し、両面テープ、接着剤などを利用することにより製作出来る。
（ニ）尚、A型における半円筒（A-１１）の内径、またB型における直角樋（B-１３）の端部の半円形の切り抜き部（B-１１）の直径は、ゴルフボールの直径と同じとすることも出来るが、若しくは練習補助器具上面が利き目とゴルフボールの間に位置することを勘案し、ゴルフボール（直径  ４２ミリ）より若干小さめとし直径３５ｍｍ〜３８ｍｍとするころが望ましい。
（ホ）A型及びB型の目標ライン平板の上辺に、中心から左右同距離の例えば６０ｍｍ及び１２０ｍｍの位置に深さ２ｍｍ〜５ｍｍのV字型切り込み（A-１６／B-１６）を作り、パターの振り幅のコントロールに利用するようにした。
（ヘ）A型とB型の目標ライン平板（A-１２／B-１２）の両側面の下辺、及びA型の支持平板（A-１３）の両面とB型の直角樋の両側の外側面の下辺に、５ｍｍ〜１０ｍｍの帯状のカラ―（色）マーク（A-１７／B-１７）を施し、利き目による位置決めの際にずれを感知しやすいようにした。
（ホ）台座として市販されている５００ｃｃのペットボトルを利用し、ペットボトルの栓に長さ１００ｍｍ、幅２０ｍｍ、肉厚１ｍｍの金具を取り付け、練習補助器具側に装着された円盤型磁石（A-１５／B-１５）に吸着固定した。
【符号の説明】
【００２６】
A-１０  パッティング練習補助器具（A型）
A-１１  半円筒（A型）
A-１２  目標ライン平板（A型）
A-１３  支持平板（A型）
A-１４  台座装着用金具（A型）
A-１５  円盤型磁石（A型）
A-１６  V字型切り込み（A型）
A-１７  帯状カラ―（色）マーク（A型）
A-１８  代用台座（ペットボトル）
A-１９  ゴルフボール
A-２０  ゴルフパター
B-１０  パッティング練習補助器具（B型）
B-１１  半円形切り抜き部（B型）
B-１２  目標ライン平板（B型）
B-１３  直角樋（B型）
B-１５  円盤型磁石（B型）
B-１６  V字型切り込み（B型）
B-１７  帯状カラ―（色）マーク（B型）
【要約】
【課題】ゴルフのパッティングの精度向上に欠かせない（１）利き目の位置  （２）両眼を結ぶ線の方向  （３）パターフェースの向き  （４）ストロークの方向  及び（５）パターの振り幅  の５項目全ての練習に供することが出来る極めて小型簡便且つ効果の高いパッティング練習補助器具を提供する。
【解決手段】
ゴルフボールの上方に置かれた半円筒或いは半円形の切り抜き部の内径にボールの外周を合致させ、又  器具を構成する平らな薄い板の厚さの線と側面の見え方で視点の位置やパッティングストロークの正確さなどを高精度で確認することを可能とする。  半円筒或いは半円形の切り抜き部を採用することで、機能性が高いにも関わらず極めてシンプルな作りとなり、プレーヤーは器具の存在を必要以上に意識することなく練習することが可能となる。
【選択図】  図９【図１】
0005785347.tif 000002
【図２】
0005785347.tif 000003
【図３】
0005785347.tif 000004
【図４】
0005785347.tif 000005
【図５】
0005785347.tif 000006
【図６】
0005785347.tif 000007
【図７】
0005785347.tif 000008
【図８】
0005785347.tif 000009
【図９】
0005785347.tif 000010
【図１０】
0005785347.tif 000011